【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
入力信号を受ける第１増幅器と、
前記入力信号に対し所定の割合の大きさを有する信号を受けて、出力信号を出力する第２増幅器と、
前記第２増幅器の前記出力信号を受けて、前記出力信号に対し所定の割合の大きさを有する信号を前記第１増幅器へ送る第１分圧器と、を有し、
前記第１増幅器は、前記入力信号から、前記出力信号に対し所定の割合の大きさを有する信号を差し引き、前記第１増幅器において増幅可能な差動信号を生成し、
前記第１増幅器および前記第２増幅器は、それぞれに付随するゲインを有し、前記、第１増幅器および第２増幅器に付随するゲインは、増幅装置全体にかかるゲインのおよそ２倍である、増幅装置。
【請求項２】
さらに、前記入力信号を受け、前記入力信号に対し所定の割合の大きさを有する信号を前記第２増幅器へ送る第２分圧器を有する、請求項１に記載の増幅装置。
【請求項３】
前記第２分圧器は、２つの実質的に等価な抵抗性要素を備える、請求項２に記載の増幅装置。
【請求項４】
前記抵抗性要素は、高精度抵抗性要素である、請求項３に記載増幅装置。
【請求項５】
前記第１増幅器、および、前記第２増幅器は、実質的に同等のものである、請求項１に記載の増幅装置。
【請求項６】
前記第１分圧器は、第１抵抗性要素、および、第２抵抗性要素を備え、
前記第１抵抗性要素および前記第２抵抗性要素は、それぞれに付随するレジスタンスを示し、
前記第１抵抗性要素に付随するレジスタンスと前記第２抵抗性要素に付随するレジスタンスとの比は、
前記第１抵抗性要素および前記第２抵抗性要素の接合部における前記信号の振幅を、前記第２増幅器の前記ゲインで除算した前記第２増幅器への前記入力信号の振幅と実質的に等しくする比である、請求項１に記載の増幅装置。
【請求項７】
前記第１増幅器は出力を備え、
前記第１分圧器の前記第１抵抗性要素および前記第２抵抗性要素にそれぞれ付随する前記レジスタンスの和は、前記第１増幅器の前記出力が与えられる抵抗性負荷と実質的に等しい、請求項６に記載の増幅装置。
【請求項８】
前記第２増幅器が受ける、前記入力信号に対し所定の割合の大きさを有する信号の前記所定の割合は、およそ５０％である、請求項１に記載の増幅装置。
【請求項９】
前記第１増幅器、および、前記第２増幅器は、実質的に同一の誤差を発生し、
前記両誤差は、前記第２増幅器で生じた誤差を前記第１増幅器で生じた誤差から差し引くことで実質的に相殺される、請求項１に記載の増幅装置。
【請求項１０】
前記第２増幅器が受ける、前記入力信号に対し所定の割合の大きさを有する信号は、前記第１増幅器が受ける前記信号のおよそ５０％の大きさである、請求項９に記載の増幅装置。
【請求項１１】
さらに、前記入力信号を受け、前記入力信号に対し所定の割合の大きさを有する信号を前記第１増幅器へ送る第３分圧器を有する、請求項１に記載の増幅装置。
【請求項１２】
前記第１増幅器は出力を備え、
前記増幅装置は、さらに、前記第１増幅器の前記出力と装置のグランドとの間に接続され、前記第１増幅器における負荷の変動を低減させる抵抗素子を有する、請求項１に記載の増幅装置。
【請求項１３】
前記第１増幅器および前記第２増幅器は、それぞれ、負の入力および出力を備え、
前記増幅装置は、さらに、前記第２増幅器の前記負の入力とグランドとの間に接続された第１抵抗素子、および、前記第２増幅器の前記出力と前記第２増幅器の前記負の入力との間に接続された第２抵抗素子、を有し、
フィードバックによって前記第２増幅器のゲインを設定する、請求項１に記載の増幅装置。
【請求項１４】
さらに、前記第１増幅器の前記負の入力と前記第１分圧器を形成する複数のレジスタの接合部との間に接続された第３抵抗素子、および、前記第１増幅器の前記出力と前記第１増幅器の前記負の入力との間に接続された第４抵抗素子、を有し、
フィードバックによって前記第１増幅器のゲインを設定する、請求項１３に記載の増幅装置。
【請求項１５】
増幅装置にかかる信号増幅方法であって、
入力信号を第１増幅器に与えるステップと、
前記入力信号に対し所定の割合の大きさの電圧レベルを有する信号を第２増幅器に与え、前記第２増幅器から出力信号を得るステップと、
前記第２増幅器の前記出力信号を第１分圧器に与えるステップと、
前記第１増幅器において、前記入力信号から、前記第２増幅器の前記出力信号に対し所定の割合の大きさを有する信号を差し引き、前記第１増幅器において増幅可能な差動信号を生成するステップと、を有し、
前記第１増幅器、および、前記第２増幅器は、それぞれに付随するゲインを備え、
さらに、前記第１増幅器および前記第２増幅器それぞれに付随する前記ゲインを、増幅装置全体にかかるゲインのおよそ２倍に構成するステップを有する、信号増幅方法。
【請求項１６】
さらに、前記入力信号を第２分圧器に与えるステップを有し、
前記第２分圧器が、前記入力信号に対し所定の割合の大きさを有する信号を前記第２増幅器に与える、請求項１５に記載の方法。
【請求項１７】
前記第１増幅器、および、前記第２増幅器は、実質的に同等のものであり、
前記第２分圧器は、２つの実質的に等価な抵抗性要素を備え、
前記入力信号に対し所定の割合の大きさを有する信号を前記第２増幅器に与えるステップは、前記入力信号のおよそ５０％を前記第２増幅器に与えるステップを含む、請求項１６に記載の方法。
【請求項１８】
さらに、前記入力信号を第３分圧器に与えるステップを有し、
前記第３分圧器を介し、前記入力信号に対し所定の割合の大きさを有する信号を前記第１増幅器に与える、請求項１７に記載の方法。
【請求項１９】
前記第２増幅器に与えられる、前記入力信号に対し所定の割合の大きさを有する信号は、前記第３分圧器を介して前記第１増幅器に与えられる前記信号のおよそ５０％である、請求項１６に記載の方法。
【請求項２０】
さらに、前記第１増幅器の出力と装置のグランドとの間に接続された抵抗素子を用いて前記第１増幅器の負荷の変動を低減させるステップを有する、請求項１６に記載の方法。
【請求項２１】
前記第１増幅器および前記第２増幅器はそれぞれ、負の入力および出力を備え、
さらに、前記第２増幅器の前記負の入力とグランドとの間に第１抵抗素子を接続し、前記第２増幅器の前記出力と前記第２増幅器の前記負の入力との間に第２抵抗素子を接続することにより得られるフィードバックによって前記第２増幅器の前記ゲインを設定するステップを有する、請求項１６に記載の方法。
【請求項２２】
さらに、前記第１増幅器の前記負の入力と前記第１分圧器を形成する複数のレジスタの接合部との間に第３抵抗素子を接続し、前記第１増幅器の前記出力と前記第１増幅器の前記負の入力との間に第４抵抗素子を接続することにより得られるフィードバックによって前記第１増幅器の前記ゲインを設定するステップを有する、請求項２１に記載の方法。
【請求項２３】
前記第１分圧器は、第１抵抗性要素、および、第２抵抗性要素を備え、
前記第１抵抗性要素および前記第２抵抗性要素は、それぞれに付随するレジスタンスを有し、
さらに、前記第１抵抗性要素に付随するレジスタンスと前記第２抵抗性要素に付随するレジスタンスとの比が、
前記第１抵抗性要素および前記第２抵抗性要素の接合部における信号の振幅を、前記第２増幅器の前記ゲインで除算した前記第２増幅器への前記入力信号の振幅と実質的に等しくする比となるように前記第１および第２抵抗性要素を選択するステップを有する、請求項１５に記載の方法。
【請求項２４】
前記第１増幅器は出力を備え、
さらに、前記第１分圧器の前記第１抵抗性要素および前記第２抵抗性要素それぞれに付随するレジスタンスの和と実質的に等しい抵抗性負荷を、前記第１増幅器の前記出力に与えるステップを有する、請求項１５に記載の方法。
【請求項２５】
前記第１増幅器、および、前記第２増幅器は、実質的に同一の誤差を発生し、
さらに、前記第２増幅器で生じた誤差を前記第１増幅器で生じた誤差から差し引くことで、前記両誤差を実質的に相殺するステップを有する、請求項１５に記載の方法。
【請求項２６】
入力信号を受ける第１増幅器と、
前記入力信号に対し所定の割合の大きさの電圧レベルを有する信号を受けて、出力信号を出力する第２増幅器と、
前記第２増幅器の前記出力信号を受けて、前記出力信号に対し所定の割合の大きさを有する信号を前記第１増幅器へ送る第１分圧器と、を有し、
前記第１増幅器は、前記入力信号から、前記第２増幅器の前記出力信号に対し所定の割合の大きさを有する信号を差し引き、前記第１増幅器において増幅可能な差動信号を生成し、
前記第１増幅器、および、前記第２増幅器は、実質的に同等のものであり、
前記第２増幅器の前記出力信号の、前記第１増幅器に与えられる前記割合は、その振幅を、前記第２増幅器の前記ゲインで除算した前記第２増幅器への前記入力信号の振幅と実質的に等しくする割合である、増幅装置。
【請求項２７】
前記第１増幅器および前記第２増幅器は、実質的に同じ差動入力電圧の条件の下で、動作する、請求項２６に記載の増幅装置。
【請求項２８】
前記第１増幅器は出力を備え、
前記増幅装置は、さらに、前記第１増幅器の前記出力と装置のグランドとの間に接続され、前記第１増幅器における負荷の変動を低減させる抵抗素子を有する、請求項２６に記載の増幅装置。